(57)【要約】【課題】電力ケーブルの接続部の交換作業を容易にして工費を低減する電力ケーブルの接続部の改修方法および改修装置を提供することを課題とする。【解決手段】接続部２を切断する切断工程と、切断した接続部２の切断面側から、電力ケーブル接続部材１３の筒内に把持されている電力ケーブル１を押圧することにより、電力ケーブル１を筒内から押し出す押圧工程と、電力ケーブル接続部材１３の筒内から押し出された電力ケーブル１の端部１９に新たな接続部材２６を装着し、接続部材２６を被接続体３１に固定することで電力ケーブル１を被接続体３１に再び接続する再接続工程と、を備える。【選択図】図８
2008109752.tif 000002
【特許請求の範囲】
【請求項１】
筒状の電力ケーブル接続部材の端部に設けられた開口部に挿入されている電力ケーブルを、筒内の内周壁面で圧接して把持することにより、該電力ケーブルを被接続体に接続している接続部の改修方法であって、
前記接続部を、前記電力ケーブル接続部材の筒内に把持されている前記電力ケーブルと交差するように切断する切断工程と、
切断した前記接続部の切断面側から、前記電力ケーブル接続部材の筒内に把持されている前記電力ケーブルを押圧することにより、該電力ケーブルを筒内から押し出す押圧工程と、
前記電力ケーブル接続部材の筒内から押し出された前記電力ケーブルの端部に新たな接続部材を装着し、該接続部材を前記被接続体に固定することで該電力ケーブルを該被接続体に再び接続する再接続工程と、を備える、
電力ケーブルの接続部の改修方法。
【請求項２】
前記接続部は、前記電力ケーブル接続部材の両方の端部に設けられた開口部に挿入されているそれぞれの電力ケーブルを、該電力ケーブル同士が筒内で互いに当接した状態でそれぞれの該電力ケーブルを筒内の内周壁面で圧接して把持することにより該電力ケーブル同士を接続しており、
前記切断工程は、前記接続部の略中央部付近を切断し、
前記再接続工程は、圧着端子を前記電力ケーブルの端部にそれぞれ装着し、該圧着端子同士を連結することにより、電力ケーブル同士を相互に再接続する、
請求項１に記載の電力ケーブルの接続部の改修方法。
【請求項３】
筒状の電力ケーブル接続部材の端部に設けられた開口部に挿入されている電力ケーブルを筒内の内周壁面で圧接して把持することにより、該電力ケーブルを被接続体に接続している接続部を改修する際に用いる改修装置であって、
前記電力ケーブル接続部材の筒内に挿入可能な大きさの棒状の押圧部と、
前記電力ケーブル接続部材の筒内に把持されている前記電力ケーブルと交差するように切断した前記接続部の切断面側から、該電力ケーブル接続部材の筒内に把持されている該電力ケーブルを押し出す方向に前記押圧部を駆動することにより、該電力ケーブルを筒内から押し出す駆動機構と、
前記電力ケーブル接続部材の筒内に把持されている前記電力ケーブルに押圧力が伝達されるように、該電力ケーブル接続部材に該駆動機構を固定する固定機構と、を備える、
電力ケーブルの接続部の改修装置。
【発明の詳細な説明】
【技術分野】
【０００１】
本発明は、電力ケーブルの接続部の改修方法および改修装置に関する。
【背景技術】
【０００２】
電力系統は、地域間を繋ぐ広域送電網から小口需要家を繋ぐ末端の配電網に至るまで、電力ケーブルや開閉器、変圧器といった多種多様な送配電機器により構成されている。電力系統は、山間部から大都市圏に至るまで全国的に張り巡らされており、設置箇所の電力需要等に応じた適切な送配電機器の選択がなされ、各地域に配設されている。
【０００３】
電力ケーブルは、広域送電網用から建屋内の送配電網用に至るまで多種多様なものが存在し、送電する電圧や電流に応じて適切なものが選択される。例えば、大容量の送電能力を必要とする広域送電網においては、鉄塔間を繋ぐ架空送電線を碍子で支持して絶縁し、５００ｋＶや２７５ｋＶといった特別高圧で送電を行うことにより、必要な送電能力を確保している。他方、小容量の送電能力しか必要としない末端の配電網においては、２２ｋＶや６．９ｋＶといった電圧で送電を行うことにより、ゴム被膜等で構成される絶縁部材でも電力ケーブルの絶縁性能を確保可能なようにしている。また、これら電力ケーブルは、風雨等に晒されても容易に外れない接続部によって相互に接続されている（例えば、特許文献１を参照。）。
【特許文献１】特開平１０−２７６４１号公報
【発明の開示】
【発明が解決しようとする課題】
【０００４】
ゴム被膜等の絶縁部材で構成される電力ケーブルは、電柱等にも容易に設置できる反面、絶縁性能を維持するために絶縁部材を定期的に交換する必要がある。ここで、電力ケーブル同士を接続している接続部も、電力ケーブルと同様に絶縁性能が十分に確保されている必要がある。しかしながら、電力ケーブル同士を接続している接続部は、風雨等に晒されて引張力が作用しても容易に外れないように構成されている。よって、電力ケーブルの接続部を交換する際は、接続部の両端を切断する必要に迫られる。しかしながら、接続部の両端を切断すると電力ケーブルの長さが短くなってしまう。そのため、切断した部分を継ぎ足すための延長ケーブルを用意し、切断した箇所の両側の電力ケーブル同士を二つの接続部を使って繋ぐ必要に迫られる。一つの接続部を交換するのに一本の延長ケーブルと二つの接続部材を使う必要があるため、工数の増大を招き、接続部の数の増大により将来的な設備維持費用の増加を招く。
【０００５】
そこで、本発明は、電力ケーブルの接続部の交換作業を容易にして工費を低減する電力ケーブルの接続部の改修方法および改修装置を提供することを課題とする。
【課題を解決するための手段】
【０００６】
本発明は、上述の課題を解決するため、電力ケーブルの接続部の改修方法であって、接続部を切断し、切断面側から電力ケーブルを押し出し、押し出された電力ケーブルの端部に新たな接続部材を装着して被接続体に接続することにした。
【０００７】
詳細には、本発明は、筒状の電力ケーブル接続部材の端部に設けられた開口部に挿入されている電力ケーブルを筒内の内周壁面で圧接して把持することにより、該電力ケーブルを被接続体に接続している接続部の改修方法であって、前記接続部を、前記電力ケーブル接続部材の筒内に把持されている前記電力ケーブルと交差するように切断する切断工程と、切断した前記接続部の切断面側から、前記電力ケーブル接続部材の筒内に把持されてい
る前記電力ケーブルを押圧することにより、該電力ケーブルを筒内から押し出す押圧工程と、前記電力ケーブル接続部材の筒内から押し出された前記電力ケーブルの端部に新たな接続部材を装着し、該接続部材を前記被接続体に固定することで該電力ケーブルを該被接続体に再び接続する再接続工程と、を備える。
【０００８】
電力ケーブルの接続部には様々なタイプのものが存在するが、本発明に係る電力ケーブルの接続部の改修方法は、筒状の電力ケーブル接続部材の端部に設けられた開口部に挿入されている電力ケーブルを、筒内の内周壁面で圧接して把持することにより該電力ケーブルを被接続体に接続している接続部を改修することを前提としている。
【０００９】
一般的に、架空送電線等に用いられる電力ケーブルは風雨等に晒されると張力を発生する。よって、接続部は、張力が加わっても容易に外れないよう堅固に電力ケーブル同士を接続している。したがって、筒内の内周壁面で圧接することで電力ケーブルを把持している接続部を引抜く場合、電力ケーブルに多大な張力を加える必要がある。ここで、電力ケーブルは、外側が絶縁被膜で覆われている。よって、電力ケーブルを引き抜く際は、絶縁被膜に多大な張力を加えることになる。絶縁被膜はゴム等により構成されているので、金属で構成されている芯線に比べて引張力に対する強度が弱い。このため、電力ケーブルを引抜くと絶縁被膜が伸長し、破断に至る場合がある。
【００１０】
一方、筒内に圧入された電力ケーブルを押し出す場合、電力ケーブルの端部に押圧力を加えることになる。このため、電力ケーブルの端部に露出している芯線に押圧力を直接加えることが可能である。よって、押圧力を効率良く電力ケーブルに伝達することが可能となり、引抜き時のように絶縁被膜に多大な張力を与えることがないし、絶縁被膜を損傷することもない。絶縁被膜を損傷させることなく筒内から電力ケーブルを押し出すため、既設の電力ケーブルを有効に利用することが可能である。
【００１１】
そこで、本発明に係る電力ケーブルの接続部の改修方法は、接続部を切断する切断工程と、切断した接続部の電力ケーブル接続部材の筒内から電力ケーブルを押し出す押圧工程と、押し出した電力ケーブルの端部に接続部材を装着して被接続体に再び接続する再接続工程と、を備えることにした。
【００１２】
切断工程では、電力ケーブルを接続している接続部を切断する。接続部を切断する際は、電力ケーブル接続部材の筒内に把持されている電力ケーブルと交差するように切断する。接続部を切断する際、少なくとも電力ケーブルと交差するように切断することにより、接続部の切断面に電力ケーブルの端部を露出させることが可能となる。なお、接続部を切断する際は、少なくとも電力ケーブルと交差するように切断すれば本発明に係る効果は実現可能であるが、電力ケーブルと略直交するように切断すれば電力ケーブルをより容易に押し出すことが可能となる。
【００１３】
押圧工程では、電力ケーブル接続部材の筒内に把持されている電力ケーブルを押圧し、電力ケーブル接続部材の筒内から電力ケーブルを押し出す。電力ケーブルを押圧する際は、切断工程によって切断された接続部の切断面側から該電力ケーブルを押圧する。切断工程によって切断された接続部の切断面側には、電力ケーブルの端部が露出しているため、電力ケーブルの芯線を直接押圧することが可能となる。これにより、電力ケーブルに効率良く押圧力を伝達し、絶縁被膜を損傷することなく電力ケーブルを電力ケーブル接続部材から押し出すことが可能になる。
【００１４】
再接続工程では、電力ケーブル接続部材の筒内から押し出した電力ケーブルの端部に新たな接続部材を装着し、電力ケーブルを被接続体に再び接続する。なお、接続部材は上述の筒状の電力ケーブル接続部材のようなものに限定されるものではなく、異なる形式の接
続部材を用いてもよい。電力ケーブルの端部に装着した接続部材を被接続体に固定することにより、電力ケーブルを再び被接続体に接続することが可能となる。
【００１５】
以上により、既設の電力ケーブルを有効利用し、電力ケーブルの接続部の交換作業を容易にして工費を低減することが可能となる。電力ケーブルの接続部を改修するに当たり、接続部を切断するという接続部の改修とは相反する工程を敢えて行うことにより、既設の電力ケーブルの張り替えを不要にせしめて工費を低減するという、通常の技術常識では容易に想到し得ない極めて多大な効果が発揮される。
【００１６】
なお、上述の接続部の改修方法において、前記接続部は、前記電力ケーブル接続部材の両方の端部に設けられた開口部に挿入されているそれぞれの電力ケーブルを、該電力ケーブル同士が筒内で互いに当接した状態でそれぞれの該電力ケーブルを筒内の内周壁面で圧接して把持することにより該電力ケーブル同士を接続しており、前記切断工程は、前記接続部の略中央部付近を切断し、前記再接続工程は、圧着端子を前記電力ケーブルの端部にそれぞれ装着し、該圧着端子同士を連結することにより、電力ケーブル同士を相互に再接続するようにしてもよい。
【００１７】
電力ケーブル同士を相互に接続している既設の接続部を交換する場合、隣接する電柱間との距離や配線されているケーブルダクトの取り回し等の状況によっては電力ケーブル同士を近づけることが困難な場合がある。このような状況において、電力ケーブル同士を接続している接続部の両端を切断してしまうと、切断されて長さの短くなった電力ケーブル同士を再接続することは著しく困難となり、延長ケーブルの設置等が必要になる。
【００１８】
そこで、両方の端部の開口部に挿入されて電力ケーブル同士を相互に接続している電力ケーブル接続部材を用いた接続部の場合、前記切断工程において、接続部の略中央部付近を切断する。電力ケーブルの接続部の略中央部付近を電力ケーブルと交差するように切断することにより、二つに分割された接続部のそれぞれの切断面に電力ケーブルの端部がそれぞれ露出することになる。また、電力ケーブルの接続部の略中央部付近を切断しているため、電力ケーブルが短く切断されてしまうことはなく、電力ケーブル同士を再接続する際に延長ケーブルを必要とするようなこともない。
【００１９】
次に、前記再接続工程において、二つに分割された接続部の電力ケーブル接続部材から前記押圧工程によってそれぞれ押し出された二つの電力ケーブルの端部に、圧着端子をそれぞれ装着する。そして、圧着端子同士を連結することにより、電力ケーブル同士を相互に再接続する。
【００２０】
以上により、電力ケーブル同士を接続する接続部の交換作業を容易にして工費を低減することが可能となる。
【００２１】
また、本発明は、物の面からも捉えることが可能である。すなわち、本発明は、筒状の電力ケーブル接続部材の端部に設けられた開口部に挿入されている電力ケーブルを筒内の内周壁面で圧接して把持することにより、該電力ケーブルを被接続体に接続している接続部を改修する際に用いる改修装置であって、前記電力ケーブル接続部材の筒内に挿入可能な大きさの棒状の押圧部と、前記電力ケーブル接続部材の筒内に把持されている前記電力ケーブルと交差するように切断した前記接続部の切断面側から、該電力ケーブル接続部材の筒内に把持されている該電力ケーブルを押し出す方向に前記押圧部を駆動することにより、該電力ケーブルを筒内から押し出す駆動機構と、前記電力ケーブル接続部材の筒内に把持されている前記電力ケーブルに押圧力が伝達されるように、該電力ケーブル接続部材に該駆動機構を固定する固定機構と、を備える。
【００２２】
本発明に係る電力ケーブルの改修装置は、筒状の電力ケーブル接続部材の端部に設けられた開口部に挿入されている電力ケーブルを、筒内の内周壁面で圧接して把持することにより該電力ケーブルを非接続体に接続している接続部から取り外す際に用いる。
【００２３】
架空送電線等に用いられる電力ケーブルは、接続部に張力が加わっても容易に外れないよう堅固に固定されていることは前述の通りである。また、電力ケーブルの再使用を考えると、電力ケーブルに引抜方向の力を加えて電力ケーブルを引抜くよりも、電力ケーブルに押圧方向の力を加えて電力ケーブルを押し出す方が好ましいことも前述の通りである。
【００２４】
そこで、本発明は、電力ケーブルの接続部を改修する際に用いる改修装置であって、押圧部と駆動機構と固定機構を備える。
【００２５】
押圧部は、電力ケーブル接続部材の筒内に挿入することが可能な大きさの棒で構成されている。押圧部は、棒の先端で電力ケーブル接続部材の内部に把持されている電力ケーブルの端部を押圧する。押圧部は、棒の先端で電力ケーブルの端部を押圧するため、棒の外径が電力ケーブルの外径と略同一か、それよりも小さいものであることが好ましい。また、押圧部は、電力ケーブル接続部材の筒内の内周壁面に圧接して把持された電力ケーブルを押し出すため、押圧力が加わっても変形しない強度を有していることが好ましい。なお、押圧部は、電力ケーブルの端部を押圧するため、鋭利な形状であってはならない。
【００２６】
駆動機構は、電力ケーブル接続部材の筒内に把持されている電力ケーブルを押し出す方向に押圧部を駆動する。駆動機構は、電力ケーブル接続部材の筒内に把持されている電力ケーブルと交差するように切断した接続部の切断面側から押圧部を駆動する。切断部の切断面側には、電力ケーブルの端部が露出しているため、電力ケーブルを押圧しやすいからである。電力ケーブルは、電力ケーブル接続部材の筒内の内周壁面に圧接され、電力ケーブル接続部材との間の摩擦力によって把持されている。よって、駆動機構は、この摩擦力よりも強い力で押圧部を駆動する。駆動機構は、押圧部を駆動することにより、電力ケーブルを筒内から押し出す。
【００２７】
固定機構は、電力ケーブル接続部材に駆動機構を固定する。電力ケーブルを電力ケーブル接続部材から押し出す際は、電力ケーブルを押圧した際の反発力が電力ケーブル接続部材に伝わるようにすればよい。電力ケーブルを押圧した際の反発力が電力ケーブル接続部材に伝わるようにすることで、電力ケーブルと電力ケーブル接続部材を引き離す力を発生させることが可能になるためである。よって、電力ケーブルに押圧力を加える駆動機構を電力ケーブル接続部材に固定し、電力ケーブルを押圧した際の反発力を電力ケーブル接続部材に伝達させる。これにより、電力ケーブルに押圧力を加え、電力ケーブル接続部材から引き離すことが可能になる。
【００２８】
以上により、電力ケーブルの接続部を交換する際、電力ケーブル接続部材から電力ケーブルを容易に押し出すことが可能になる。
【発明の効果】
【００２９】
本発明によれば、電力ケーブルの接続部の交換作業を容易にして工費を低減する電力ケーブルの接続部の改修方法および改修装置を提供することが可能となる。
【発明を実施するための最良の形態】
【００３０】
以下、本発明を実施するための最良の形態を例示的に説明する。以下に示す実施形態は例示であり、本発明はこれらに限定されない。
【実施例１】
【００３１】
図１は、本発明の一実施例に係る電力ケーブル１の接続部２の改修方法において、改修する対象となる電力ケーブル１の接続部２を示した正面図である。また、図２は、電力ケーブル１の接続部２の断面を拡大した図である。本実施形態においては、電柱３に据え付けられた架空送電線である２２ｋＶ電力ケーブルの差込式直線接続部を交換することを前提としている。しかし、本発明は、このような接続部に限定されるものでなく、孔に差し込む差込式の電力ケーブルの接続部であれば如何なる形式のものであってもよい。なお、架空送電線は３相分設けられており、接続部２も三つあるが、説明の便宜上、一つの接続部２を改修することを前提に説明する。他の二つの接続部２についても、同様の方法で改修可能であることは言うまでもない。
【００３２】
図３において、本実施例に係る電力ケーブル１の接続部２の改修方法の作業フローを示す。以下、図３に係る作業フロー図を参照しながら、本実施例に係る接続部２の改修方法を説明する。
【００３３】
＜ステップ１＞
作業者は、工具や材料等を用意する（Ｓ１０１）。機材や工具については、バンドソー４、線ノコ、発電機、金ヤスリ、ケーブルドラム、絶縁体剥ぎ工具、トルクレンチ、ラチェットレンチ、ケーブルバンド５、ステンレス製自在バンド６、シリコン固着剥がし棒、改修装置７等を用意する。また、材料については、ケーブルクリーナー、ＪＫワイパー（登録商標）、ＡＣＰテープ、半導電性融着テープ、防水テープ、粘着性ポリエチレンテープ８、ウエス、シリコングリス等を用意する。また、作業者は、必要に応じて作業箇所の周囲に落下防止用ネットや軽作業台を取り付ける。
【００３４】
＜ステップ２＞
次に、作業者は、接続部２を支持している支持金具９を取り外す（Ｓ１０２）。図４は、支持金具９を取り外す際の作業方法を示す。図４において示すように、作業者は、改修対象の接続部２を支えている支持金具９を取り外した後、作業を実施しない健全相の電力ケーブル１の接続部２について、作業の邪魔等にならないよう、ケーブルバンド５で電柱３に仮止めしておく。
【００３５】
＜ステップ３＞
次に、作業者は、周辺部材１０を取り外す（Ｓ１０３）。周辺部材１０は、クランプ１１とパイプ１２で構成されている。図５は、周辺部材１０を取り外す際の作業方法を示す。図５において示すように、作業者は、押さえ金具や螺旋防護帯、接地クランプや取付けボルト等を取り外した後、クランプ１１を横にずらし、パイプ１２をスライドさせて周辺部材１０を取り外す。なお、パイプ１２の長さが７５ｃｍ程度あるため、作業者は、クランプ１１とパイプ１２を４５ｃｍ程度横にずらす。クランプ１１をパイプ１２の長さの半分よりも多くずらすことにより、旧型絶縁筒１３（本発明でいう「電力ケーブル接続部材」に相当。）の中央部付近を露出させることが可能になる。
【００３６】
＜ステップ４＞
次に、作業者は、旧型絶縁筒１３の中心を測り出す（Ｓ１０４）。作業者は、旧型絶縁筒１３の各寸法を元に、両端部から均等の距離となる中心位置を測り出す。
【００３７】
＜ステップ５＞
次に、作業者は、旧型絶縁筒１３を切断する（Ｓ１０５）（本発明でいう「切断工程」に相当。）。図６は、旧型絶縁筒１３を切断する際の作業方法を示す。図６において示すように、作業者は、バンドソー４を使い、Ｓ１０４において測り出した旧型絶縁筒１３の中心位置を切断する。なお、作業者は、旧型絶縁筒１３内に差し込まれている電力ケーブル１と略直交するように旧型絶縁筒１３の中心位置を切断する。また、作業者は、旧型絶
縁筒１３の切断作業を行うにあたり、発電機やケーブルドラムを使ってバンドソー４に電力を供給する。なお、作業者は、旧型絶縁筒１３の中心位置を切断しているが、厳密な精度を要求されるものでなく、中心から多少ずれた位置を切断してもよい。
【００３８】
＜ステップ６＞
次に、作業者は、旧型絶縁筒１３から電力ケーブル１を押し出す（Ｓ１０６）（本発明でいう「押圧工程」に相当。）。図７および図８は、旧型絶縁筒１３から電力ケーブル１を押し出す際の作業方法を示す。図７において示すように、作業者は、電力ケーブル１を旧型絶縁筒１３から押し出すための改修装置７を装着する。詳細には、作業者は、改修装置７の固定機構１４を旧型絶縁筒１３の外周側に沿うように嵌める。そして、固定ボルト１５を締め付けて旧型絶縁筒１３を固定機構１４で挟持させ、改修装置７を旧型絶縁筒１３に固定する。なお、固定機構１４を旧型絶縁筒１３に嵌める際は、駆動機構１６が旧型絶縁筒１３の切断面１７側に位置し、且つ押圧部１８が旧型絶縁筒１３の切断面に露出している電力ケーブル１の端部１９に当たるように配置する。そして、図８において示すように、駆動機構１６をラチェットレンチを使って回転させる。これにより、押圧部１８が駆動機構１６によって電力ケーブル１を押し出す方向に駆動され、旧型絶縁筒１３の筒内に把持されている電力ケーブル１が押し出される。なお、電力ケーブル１を押し出すにあたり、シリコン固着剥がし棒を使って旧型絶縁筒１３と電力ケーブル１との間のシリコンを予め剥がしておくと、シリコンを剥がさない場合に比べ、電力ケーブル１の押し出しがより一層スムーズになる。
【００３９】
＜ステップ７＞
次に、作業者は、電力ケーブル１同士を電気的に接続しているコンタクト部２０切断する（Ｓ１０７）。図９は、コンタクト部２０を切断する際の作業方法を示す。図９において示すように、作業者は、バンドソー４や線ノコを使い、電力ケーブル１の端部に取り付けられているコンタクト部２０を切断して取り外す。また、作業者は、電力ケーブル１の端部に固定されているスペーサ２１も取り外す。
【００４０】
＜ステップ８＞
次に、作業者は、電力ケーブル１の端部の絶縁被膜２２を剥ぎ取る（Ｓ１０８）。図１０は、電力ケーブル１の端部の絶縁被膜２２を剥ぎ取る際の作業方法を示す。図１０において示すように、作業者は、絶縁体剥ぎ工具を使って電力ケーブル１の端部の絶縁被膜２２を５ｃｍ程度剥ぎ取り、導体である芯線２３を露出させる。
【００４１】
＜ステップ９＞
次に、作業者は、電力ケーブル１の絶縁被膜２２をケーブルクリーナーやＪＫワイパーで清掃する（Ｓ１０９）。作業者は、ケーブルクリーナーやＪＫワイパーを使って、スペーサ２１が固定されていた位置の付近を中心に、電力ケーブル１の絶縁被膜２２を清掃する。
【００４２】
＜ステップ１０＞
次に、作業者は、ＡＣＰテープを電力ケーブル１に巻きつける（Ｓ１１０）。作業者は、電力ケーブル１の遮蔽層２４に１ｃｍ程度重なるようにして、電力ケーブル１の端部から１９ｃｍ程度のところまでハーフフラップ１往復（２層）でＡＣＰテープを巻きつける。作業者は、ＡＣＰテープの巻きつけに際して、均一の力で引っ張りながら巻きつけ、シワや空隙ができないように注意する。なお、ハーフラップとは、棒状の対象物にテープをらせん状に巻きつける際に、テープ同士が半分ずつ重なるようにしながら巻きつけていく方法である。また、１往復とは、対象箇所の一端側からテープの巻きつけを開始し、他端側まで巻きつけが完了したら折り返し、テープの巻きつけを開始した位置までテープを巻きつけていくことである。
【００４３】
＜ステップ１１＞
次に、作業者は、スペーサ２１を電力ケーブル１に嵌める（Ｓ１１１）。図１１は、スペーサ２１を嵌める際の作業方法を示す。作業者は、スペーサ２１を嵌める際、スペーサ２１の内部や電力ケーブル１の絶縁被膜２２、巻きつけたＡＣＰテープの表面にシリコングリスを均一に塗布する。そして、作業者は、スペーサ２１を回しながら電力ケーブル１に嵌める。
【００４４】
＜ステップ１２＞
次に、作業者は、電力ケーブル１に圧着端子２５を取り付ける（Ｓ１１２）。図１２は、圧着端子２５を取り付ける際の作業方法を示す。図１２において示すように、作業者は、電力ケーブル１の芯線２３に圧着端子２５を嵌める。そして、圧着端子２５に４０ｔの荷重を２回加え、圧着端子２５を電力ケーブル１の芯線２３に圧着する。なお、作業者は、圧着端子２５の圧着に伴い発生した圧着端子２５の表面のバリをヤスリ等で除去する。また、作業者は、圧着端子２５に荷重を加える際、芯線２３の癖に十分注意し、芯線２３によじれが発生しないようにする。
【００４５】
＜ステップ１３＞
次に、作業者は、電力ケーブル１を新型絶縁筒２６に挿入する（Ｓ１１３）。図１３は、電力ケーブル１の先端を新型絶縁筒２６に挿入する際の作業方法を示す。図１３において示すように、作業者は、外観視略Ｔ字形状をなす新型絶縁筒２６に、電力ケーブル１を挿入する。作業者は、電力ケーブル１の先端に取り付けられた圧着端子２５の羽子板部２７の穴２８が、新型絶縁筒２６の中心２９にくるまで挿入する。なお、作業者は、電力ケーブル１の先端を新型絶縁筒２６に挿入する際、スペーサ２１の表面を清掃し、スペーサ２１の表面と新型絶縁筒２６の内面にシリコングリスを塗布する。
【００４６】
＜ステップ１４＞
次に、作業者は、半導電性融着テープを巻きつける（Ｓ１１４）。作業者は、電力ケーブル１が挿入された新型絶縁筒２６の端部（約２ｃｍ）と、電力ケーブル１に巻きつけられたＡＣＰテープ、及び電力ケーブル１のコルゲート３０の端部（約２ｃｍ）が覆われるように半導電性融着テープを巻きつける。なお、作業者は、ハーフラップで２往復（４層）になるように半導電性融着テープを巻きつける。
【００４７】
＜ステップ１５＞
次に、作業者は、防水処置を施す（Ｓ１１５）。図１４は、防水処置を施す際の作業方法を示す。図１４において示すように、作業者は、Ｓ１１４において巻きつけた半導電性融着テープの表面を覆うようにして、防水テープをハーフラップ２往復（４層）で巻きつけ、更に、粘着性ポリエチレンテープ８をハーフラップ１往復（２層）で巻きつける。これにより、電力ケーブル１と新型絶縁筒２６との隙間が完全に塞がれ、絶縁性能や防水性能が確保される。
【００４８】
＜ステップ１６＞
次に、作業者は、新型接続部材３１を電柱３に取り付ける（Ｓ１１６）。図１４は、新型接続部材３１を電柱３に取り付ける際の作業方法を示す。図２０において示すように、作業者は、隣接する相の電力ケーブルの接続部２等にステンレス製自在バンド６を使って係止する。
【００４９】
＜ステップ１７＞
次に、作業者は、新型接続部材３１に電力ケーブル１を取り付ける（Ｓ１１７）（本発明でいう「再接続工程」に相当。）。図１６は、新型接続部材３１に電力ケーブル１を接
続する際の作業方法を示す。図１６において示すように、作業者は、新型絶縁筒２６を新型接続部材３１の接続端子３２に嵌める。そして、作業者は、新型絶縁筒２６の筒内にある圧着端子２５の羽子板部２７の穴２８を接続端子３２に嵌める。そして、作業者は、圧着端子２５を接続端子３２にボルトで固定する。そして、作業者は、新型絶縁筒２６に防水処置を施し、接地クランプ等を取り付けて作業を完了する。以上により、電力ケーブル１の接続部２の改修が完了する。なお、図１７において、改修作業が完了した新たな電力ケーブル１の接続部３３を示す。
【００５０】
以上、本実施例に係る電力ケーブルの改修方法によれば、既設の電力ケーブルが切断されて大幅に短くなってしまうといったことが無いため、延長ケーブルを接続したりする作業が必要なくなる。このため電力ケーブルの接続部の交換作業を容易にして工費を低減することが可能になる。
【実施例２】
【００５１】
以下、本発明の一実施例に係る電力ケーブルの改修装置７について説明する。以下に示す改修装置７は、上述した実施例１に係る電力ケーブル１の改修方法において使用しているものと同一である。なお、本発明に係る改修装置７が以下に示す実施例に限定されないことはいうまでもない。また、上述した実施例１に係る電力ケーブルの改修方法が、本実施例に係る改修装置７の使用のみに限定されるものでないこともいうまでもない。
【００５２】
図１８は、本発明の一実施形態に係る電力ケーブルの接続部の改修装置７を示す。図１８において示すように、本発明の一実施形態に係る改修装置７は、押圧部１８と駆動機構１６と固定機構１４を備える。
【００５３】
押圧部１８は、金属製の棒で構成されており、旧型絶縁筒１３の内筒に挿入可能な大きさに形成されている。また、押圧部１８の先端は、電力ケーブル１の先端に押圧力が十分に伝達されるよう平面状に形成されている。更に、押圧部１８は、旧型絶縁筒１３の内筒の内周壁面に沿うように、棒の断面が円形に形成されている。また、押圧部１８は、駆動機構１６と連結されており、駆動機構１６から押圧部１８の先端までが直線状の鉄の棒で形成されている。従って、押圧部１８は、駆動機構１６からの押圧力を押圧部１８の先端に伝えることが可能なようになっている。
【００５４】
駆動機構１６は、押圧部１８と直線的に連結された棒状の雄ネジ３４と雄ネジ３４が嵌る雌ネジ３５とを備える。
【００５５】
雄ネジ３４は、長い金属棒で構成されており、その長さは電力ケーブル１を押し出すことが十分可能な大きさに構成されている。雄ネジ３４は雌ネジ３５との相互作用により回転運動を直線運動に変換し、回転力を押圧力に変換する。すなわち、雄ネジ３４は、回転させられることにより直線運動を行って押圧力を発生し、押圧部１８を直線状に駆動する。雄ネジ３４は、断面が六角状をなす操作部３６を有しており、操作部３６にラチェットレンチ等を嵌めて回転操作させることにより雄ネジ３４に回転力を与える。なお、操作部３６は、雄ネジ３４の先端に配置されていてもよい。
【００５６】
雌ネジ３５は、雄ネジ３４が回転し、押圧部１８に駆動力を伝達する際に発生する押圧部１８からの反発力を受け止める。雌ネジ３５は、Ｕ字部材３７を介して固定機構１４に連結されるように構成されており、雄ネジ３４から伝達される反発力を固定機構１４に伝達する。
【００５７】
固定機構１４は、旧型絶縁筒１３の外周を把持する把持部３８を有している。固定機構１４は、把持部３８が旧型絶縁筒１３の外周を把持した状態で固定ボルト１５によって固
定されることにより、駆動機構１６を旧型絶縁筒１３に固定する。これにより、雄ネジ３４が回転させられることによって発生する電力ケーブル１からの反発力を、押圧部１８や雄ネジ３４、雌ネジ３５、Ｕ字部材３７、把持部３８を介して旧型絶縁筒１３に伝達することが可能になる。
【００５８】
以上により、本実施例に係る改修装置７によれば、接続部２を改修する際、旧型絶縁筒１３から電力ケーブル１を容易に押し出すことが可能になる。なお、本実施例において、改修装置７の駆動機構１６は、作業者の動作により駆動するように構成されていたが、本発明はこれに限定されるものではない。すなわち、本発明は、電気駆動や油圧駆動によって押圧部１８を駆動し、電力ケーブル１に押圧力を加えるようにしてもよい。
【図面の簡単な説明】
【００５９】
【図１】電力ケーブルの接続部を示した正面図。
【図２】電力ケーブルの接続部の断面を拡大した図。
【図３】接続部の改修方法の作業フロー図。
【図４】支持器具を取り外す際の作業方法を示す図。
【図５】周辺部材を取り外す際の作業方法を示す図。
【図６】旧型絶縁筒を切断する際の作業方法を示す図。
【図７】電力ケーブルを引抜く際の作業方法を示す図。
【図８】電力ケーブルを引抜く際の作業方法を示す図。
【図９】コンタクト部を切断する際の作業方法を示す図。
【図１０】電力ケーブルの端部を剥ぎ取る際の作業方法を示す図。
【図１１】スペーサを嵌める際の作業方法を示す図。
【図１２】圧着端子を取り付ける際の作業方法を示す図。
【図１３】電力ケーブルの先端を新型絶縁筒に挿入する際の作業方法を示す図。
【図１４】防水処置を施す際の作業方法を示す図。
【図１５】新型接続部材を電柱に取り付ける際の作業方法を示す図。
【図１６】新型接続部材に電力ケーブルを接続する際の作業方法を示す図。
【図１７】完成した新たな電力ケーブルの接続部を示す図。
【図１８】電力ケーブルの接続部の改修装置を示す図。
【符号の説明】
【００６０】
１・・・・・・・・・・・・・・電力ケーブル
２、３３・・・・・・・・・・・接続部
３・・・・・・・・・・・・・・電柱
４・・・・・・・・・・・・・・バンドソー
５・・・・・・・・・・・・・・ケーブルバンド
６・・・・・・・・・・・・・・ステンレス製自在バンド
７・・・・・・・・・・・・・・改修装置
８・・・・・・・・・・・・・・粘着性ポリエチレンテープ
９・・・・・・・・・・・・・・支持金具
１０・・・・・・・・・・・・・周辺部材
１１・・・・・・・・・・・・・クランプ
１２・・・・・・・・・・・・・パイプ
１３・・・・・・・・・・・・・旧型絶縁筒
１４・・・・・・・・・・・・・固定機構
１５・・・・・・・・・・・・・固定ボルト
１６・・・・・・・・・・・・・駆動機構
１７・・・・・・・・・・・・・切断面
１８・・・・・・・・・・・・・押出部
１９・・・・・・・・・・・・・端部
２０・・・・・・・・・・・・・コンタクト部
２１・・・・・・・・・・・・・スペーサ
２２・・・・・・・・・・・・・絶縁被膜
２３・・・・・・・・・・・・・芯線
２４・・・・・・・・・・・・・遮蔽層
２５・・・・・・・・・・・・・圧着端子
２６・・・・・・・・・・・・・新型絶縁筒
２７・・・・・・・・・・・・・羽子板部
２８・・・・・・・・・・・・・穴
２９・・・・・・・・・・・・・中心
３０・・・・・・・・・・・・・コルゲート
３１・・・・・・・・・・・・・新型接続部材
３２・・・・・・・・・・・・・接続端子
３４・・・・・・・・・・・・・雄ネジ
３５・・・・・・・・・・・・・雌ネジ
３６・・・・・・・・・・・・・操作部
３７・・・・・・・・・・・・・Ｕ字部材
３８・・・・・・・・・・・・・把持部
【図１】
2008109752.tif 000003
【図２】
2008109752.tif 000004
【図３】
2008109752.tif 000005
【図４】
2008109752.tif 000006
【図５】
2008109752.tif 000007
【図６】
2008109752.tif 000008
【図７】
2008109752.tif 000009
【図８】
2008109752.tif 000010
【図９】
2008109752.tif 000011
【図１０】
2008109752.tif 000012
【図１１】
2008109752.tif 000013
【図１２】
2008109752.tif 000014
【図１３】
2008109752.tif 000015
【図１４】
2008109752.tif 000016
【図１５】
2008109752.tif 000017
【図１６】
2008109752.tif 000018
【図１７】
2008109752.tif 000019
【図１８】
2008109752.tif 000020